(57)【要約】【課題】ペーパー先端部の送り出しを簡単かつ容易にする送り出し機構を備え、この送り出し機構に使用者が影響されることなくペーパーロールの入れ替えを行うことができ、ペーパーロールの固定を簡単かつ容易にするペーパーロール保持体を提供する。【解決手段】ペーパーロール保持体１は、ペーパーロールの上面を覆う上面板２０と、ペーパーロールの左右両端側に位置するサイドホルダー１１，１２と、を有し、サイドホルダー１１，１２の左右対向面には、ペーパーロールを回転自在に保持する保持部５０が設けられる。サイドホルダー１１，１２の内部には、保持部と連動して回転しつつ、回転方向とは逆方向の逆回転力を保持し、所定の動作を契機として保持された逆回転力を放出する回転機構４０を有する。【選択図】図１
2018057820.tif 000002
【特許請求の範囲】
【請求項１】
ペーパーロールの上面を覆う上面板と、
ペーパーロールの左右両端側に位置するサイドホルダーと、
を有し、
前記サイドホルダーの左右対向面には、ペーパーロールを回転自在に保持する保持部が設けられるペーパーロール保持体であって、
前記サイドホルダーの内部には、前記保持部と連動して回転しつつ、回転方向とは逆方向の逆回転力を保持し、所定の動作を契機として保持された逆回転力を放出する回転機構を有することを特徴とするペーパーロール保持体。
【請求項２】
前記上面板は、ペーパーロールを切断する紙切り刃を有する第１板と、前記第１板の下方に設けられ、前記紙切り刃の出し入れを可能な貫通孔が形成された第２板と、で構成され、
前記第１板と前記第２板との相対的位置関係を変化させて、前記貫通孔からの前記紙切り刃の出し入れを可能としたことを特徴とする請求項１記載のペーパーロール保持体。
【請求項３】
前記上面板又は前記上面板の前記第２板は、その下面に、ペーパーロールと連動して回転可能な回転部と、前記回転部を上下に揺動可能な上弾性部と、を有し、
前記上面板又は前記上面板の前記第２板と前記上弾性部とが固設され、前記回転部は前記上弾性部に保持されていることを特徴とする請求項１又は２記載のペーパーロール保持体。
【請求項４】
前記サイドホルダーの一方又は両方は、左右に開閉可能であることを特徴とする請求項１から３のいずれか記載のペーパーロール保持体。
【請求項５】
前記保持部は、ペーパーロールの巻き芯に挿着される半球体であることを特徴とする請求項１から４のいずれか記載のペーパーロール保持体。
【請求項６】
前記半球体は、その球面には中心に向かう多数の切欠部と、その周面には球面から突出したテーパー部と、を有することを特徴とする請求項５記載のペーパーロール保持体。
【請求項７】
前記回転機構を構成し、回転周面に閉周部と開周部とを有する筐体には、
前記保持部と連動して回転するカム部と、
前記カム部の回転の伝達遮断を可能とし、前記閉周部において前記カム部と係合して回転が伝達され、前記開周部において前記カム部と離間して回転が遮断されるクラッチ部と、
前記クラッチ部の回転に応じて巻回する巻回弾性部と、
が収容され、
前記巻回弾性部は、前記クラッチ部を介した前記カム部からの動力伝達により回転方向とは逆方向の逆回転力が付勢され、所定の動作を契機として付勢された逆回転力が放出されることを特徴とする請求項１から６のいずれか記載のペーパーロール保持体。
【請求項８】
前記サイドホルダーの内部には、
前記筐体の閉周部と開周部の境界付近に位置し前記サイドホルダーの内壁から突出したストッパーと、
前記筐体の閉周部と前記サイドホルダーの下部との間に設けられ上下に揺動可能な下弾性部と、
が設けられ、
前記ストッパーは、前記巻回弾性部による前記クラッチ部の逆回転可動を規制し、
前記下弾性部の押圧作用により前記ストッパーの規制が解除されることを特徴とする請求項７記載のペーパーロール保持体。
【発明の詳細な説明】
【技術分野】
【０００１】
本発明は、ペーパーロールのロールの固定とペーパー先端部の送り出しを簡単かつ容易に行えるペーパーロール保持体に関する。
【背景技術】
【０００２】
トイレ用に使用されるトイレットペーパーロールは、トイレットペーパーホルダーに保持されており、一般的には、ホルダーに保持されたトイレットペーパーロールの上側からトイレットペーパーを引き出す構造となっている。トイレットペーパーを所望量引き出した後は、ホルダー上部のカバーを指で押えてトイレットペーパーを押圧固定した状態にして、カバー先端の鋭角面又は切欠面を利用して幅方向に引き千切るように切る。
【０００３】
次にトイレットペーパーを所望量引き出したい場合には、ペーパー先端部がカバーの下側に残っていることから、カバーを片手で持ち上げて、もう一方の片手でペーパー先端部を指で摘んで引っ張り出すこととなる。
【０００４】
一方、トイレットペーパーのペーパー先端部の送り出しを可能にしたトイレットペーパーホルダーが種々提案されており、送り出しを電動で行うものなどが存在するが、電動によらない動力機構を採るものとして、例えば、以下の特許文献１や特許文献２が存在する。
【０００５】
特許文献１のトイレットペーパーホルダーは、図１１に示すように、トイレットペーパーを切る際の蓋を押える力によって、弾性質部１０１が保っていた蓋とトイレットペーパーとの間の空間が縮み、それに連動しフレキシブル部１０２を介して送り出し部１０３は下がり、ペーパーを切り終え力を抜くと、押えられて縮んでいた空間は弾性質部１０１によって元の位置に戻ろうとして蓋を持ち上げ、それに連動しフレキシブル部１０２を介してペーパーを引っ張り出している時の回転方向には抵抗せず、その逆回転方向だけに抵抗しペーパーを送り出す性質を有する送り出し部１０３も元の位置に戻ろうとして上に移動しながらトイレットペーパーを送り出している。
【０００６】
特許文献２のトイレットペーパーホルダーは、図１２に示すように、カバーＣとサイドホルダーＨと内装されたロール紙ＲとカバーＣに装着した取っ手型レバー付きロール紙送り出しユニット１０５とで構成されており、ロール紙送り出しユニット１０５に装備されている回転戻り用のゼンマイばねの作用によってロール紙を送り出している。
【先行技術文献】
【特許文献】
【０００７】
【特許文献１】特開２００５−１４４１１２号公報（段落［００１９］、図４）
【特許文献２】特開２０１５−１２９８３号公報（段落［００１１］、図１）
【発明の概要】
【発明が解決しようとする課題】
【０００８】
従来のトイレットペーパーホルダーは、ペーパー先端部の送り出しを可能にする機構がホルダー本体に設けられている。
【０００９】
ホルダー本体のトイレットペーパーを装着する位置に送り出し機構を有する特許文献１の場合、トイレットペーパーの入れ替えを行う際に、弾性質部１０１、フレキシブル部１０２及び送り出し部１０３が邪魔となってスムーズな入れ替えを行うことができない。また、弾性質部１０１、フレキシブル部１０２及び送り出し部１０３がトイレットペーパーによって図示のような位置関係で支えられている場合には問題ないが、トイレットペーパーの入れ替えを行う際にそれらの自重によって位置関係が崩れた場合に、元の位置関係となるような構造を理解していないとトイレットペーパーの入れ替え困難を生ずる。
【００１０】
また、トイレットペーパーの入れ替えを行う際は、カバーを片手で持ち上げて上方に傾斜した状態を保ったまま、両手でトイレットペーパーの入れ替えを行うこととなるが、ホルダー本体のカバー上面に送り出し機構を有する特許文献２の場合、カバー上面の送り出し機構が邪魔となり、カバーから手を離すとカバーを上方に傾斜した状態を保つことができず、トイレットペーパーの入れ替えに困難を生ずる。
【００１１】
また、特許文献１及び特許文献２に示すトイレットペーパーホルダーのように、送り出し機構の動力発生源とトイレットペーパーとが接触していると、接触摩擦によるトイレットペーパーの破損が起こりやすく、破損した分のトイレットペーパーが無駄となる。
【００１２】
本発明は、このような点に鑑みてなされたものであり、ペーパー先端部の送り出しを簡単かつ容易にする送り出し機構を備え、この送り出し機構に使用者が影響されることなくペーパーロールの入れ替えを行うことができ、ペーパーロールの固定を簡単かつ容易にするペーパーロール保持体を提供する。
【課題を解決するための手段】
【００１３】
本発明は、上記課題を解決するために、以下のものを提供する。
【００１４】
（１）  ペーパーロールの上面を覆う上面板と、ペーパーロールの左右両端側に位置するサイドホルダーと、を有し、前記サイドホルダーの左右対向面には、ペーパーロールを回転自在に保持する保持部が設けられるペーパーロール保持体であって、前記サイドホルダーの内部には、前記保持部と連動して回転しつつ、回転方向とは逆方向の逆回転力を保持し、所定の動作を契機として保持された逆回転力を放出する回転機構を有することを特徴とするペーパーロール保持体。
【００１５】
本発明によれば、サイドホルダーの内部にペーパー先端部の送り出し機構を有することから、ペーパーロールの入れ替えを行う際にこの送り出し機構に使用者が影響されることがなく、ペーパーロールの固定を簡単かつ容易にすることができる。
【００１６】
また、ペーパー先端部の送り出しは、保持部と連動して回転しつつ、回転方向とは逆方向の逆回転力を保持し、所定の動作を契機として保持された逆回転力を放出する回転機構によって行うことから、使用者にとっては普段通りの使用で特別な操作を要することなく送り出しを実現することができる。所定の動作も、普段通りの使用で行う動作の一環であればよい。
【００１７】
（２）  前記上面板は、ペーパーロールを切断する紙切り刃を有する第１板と、前記第１板の下方に設けられ、前記紙切り刃の出し入れを可能な貫通孔が形成された第２板と、で構成され、前記第１板と前記第２板との相対的位置関係を変化させて、前記貫通孔からの前記紙切り刃の出し入れを可能としたことを特徴とするペーパーロール保持体。
【００１８】
本発明によれば、上面板を構成する第１板及び第２板の相対的位置関係を変化させて、貫通孔からの紙切り刃の出し入れを可能にしたことから、通常時は紙切り刃が貫通孔から出ることはなく、使用時は紙切り刃が貫通孔から出ることにより、使用者が不意に紙切り刃に触れてケガをするなどの事故を未然に防ぐことができる。
【００１９】
（３）  前記上面板又は前記上面板の前記第２板は、その下面に、ペーパーロールと連動して回転可能な回転部と、前記回転部を上下に揺動可能な上弾性部と、を有し、前記上面板又は前記上面板の前記第２板と前記上弾性部とが固設され、前記回転部は前記上弾性部に保持されていることを特徴とする請求項１又は２記載のペーパーロール保持体。
【００２０】
本発明によれば、（１）において、上面板の下面にペーパーロールと連動して回転可能な回転部を有することから、上面板とペーパーロールとの摩擦を回転部によって低減でき、スムーズな送り出しを実現することができる。また、本発明によれば、（２）において、上面板の第２板の下面にペーパーロールと連動して回転可能な回転部を有することから、上面板の第２板とペーパーロールとの摩擦を回転部によって低減でき、スムーズな送り出しを実現することができる。
【００２１】
（４）  前記サイドホルダーの一方又は両方は、左右に開閉可能であることを特徴とするペーパーロール保持体。
【００２２】
本発明によれば、サイドホルダーが左右に開閉可能であることから、サイドホルダーを可動させてペーパーロールの入れ替えを行うことで、ペーパーロールの固定を簡単かつ容易にすることができる。特に、サイドホルダーの左右対向面に位置する保持部があっても、保持部が邪魔とならずにペーパーロールの固定を簡単かつ容易にすることができる。
【００２３】
（５）  前記保持部は、ペーパーロールの巻き芯に挿着される半球体であることを特徴とするペーパーロール保持体。
（６）  前記半球体は、その球面には中心に向かう多数の切欠部と、その周面には球面から突出したテーパー部と、を有することを特徴とするペーパーロール保持体。
【００２４】
本発明によれば、保持部は、半球体としてペーパーロールの巻き芯に挿着され、多数の切欠部とテーパー部とを有することから、巻き芯にフィットした遊びが無い密着度合を実現することができる。ペーパー先端部の送り出しを回転機構によって行う際、巻き芯と保持部とに遊びがあると空回転して送り出しが機能しないことから、空回転を防いで確実な送り出しを実現することができる。
【００２５】
（７）  前記回転機構を構成し、回転周面に閉周部と開周部とを有する筐体には、前記保持部と連動して回転するカム部と、前記カム部の回転の伝達遮断を可能とし、前記閉周部において前記カム部と係合して回転が伝達され、前記開周部において前記カム部と離間して回転が遮断されるクラッチ部と、前記クラッチ部の回転に応じて巻回する巻回弾性部と、が収容され、前記巻回弾性部は、前記クラッチ部を介した前記カム部からの動力伝達により回転方向とは逆方向の逆回転力が付勢され、所定の動作を契機として付勢された逆回転力が放出されることを特徴とするペーパーロール保持体。
（８）  前記サイドホルダーの内部には、前記筐体の閉周部と開周部の境界付近に位置し前記サイドホルダーの内壁から突出したストッパーと、前記筐体の閉周部と前記サイドホルダーの下部との間に設けられ上下に揺動可能な下弾性部と、が設けられ、前記ストッパーは、前記巻回弾性部による前記クラッチ部の逆回転可動を規制し、前記下弾性部の押圧作用により前記ストッパーの規制が解除されることを特徴とするペーパーロール保持体。
【００２６】
本発明によれば、回転機構の構成態様、回転機構とサイドホルダーの内部の構成態様によって、送り出しを実現している。
【発明の効果】
【００２７】
本発明のペーパーロール保持体は、使用者にとって使い勝手が良く、ペーパー先端部の送り出しを簡単かつ容易に実現することができる。
【図面の簡単な説明】
【００２８】
【図１】本発明の実施の形態に係るペーパーロール保持体の正面斜視図である。
【図２】回転機構の例を示す構成図である。
【図３】クラッチ部の正面斜視図及び構成図である。
【図４】カム部の構成図である。
【図５】本発明の実施の形態に係るペーパーロール保持体の動作機構を説明するための図である。
【図６】本発明の実施の形態に係るペーパーロール保持体の動作機構を説明するための図である。
【図７】保持部の一例を示す図である。
【図８】本発明の実施の形態に係るペーパーロール保持体の平面模式図である。
【図９】本発明の実施の形態に係るペーパーロール保持体の正面模式図である。
【図１０】上面板の他の例を示す図である。
【図１１】従来のトイレットペーパーホルダーの例を示す図である。
【図１２】従来のトイレットペーパーホルダーの例を示す図である。
【発明を実施するための形態】
【００２９】
以下、本発明の実施の形態について図面に基づいて説明する。
【００３０】
図１は、ペーパーロール保持体１の正面斜視図である。トイレットペーパーやキッチンペーパー等を保持するペーパーロール保持体１は、最後面に位置する支持板１０と、支持板１０の左右両端に位置するサイドホルダー１１，１２と、支持板１０の上側に位置する上面板２０と、上面板２０の上側に位置する最上面板３０と、で構成される。
【００３１】
ペーパーロール保持体１は、支持板１０と、支持板１０と直交して前方に向けて平行して形成されたサイドホルダー１１，１２と、が上方から見てコの字形状に形成され、サイドホルダー１１，１２の内側板１１ｂ，１２ｂを対向面としてトイレットペーパーロール（不図示）が支持部５０を介して軸架される。サイドホルダー１１，１２の外側板１１ａ，１２ａと内側板１１ｂ，１２ｂとの間は空隙が形成されており、サイドホルダー１１，１２の内部（空隙）には回転機構４０がそれぞれ収容される。
【００３２】
なお、図１においては、サイドホルダー１１，１２の内側板１１ｂ，１２ｂには空隙と一体形成された切込部１１ｃ，１２ｃが設けられており、回転機構４０の出し入れを容易にしている。また、サイドホルダー１１，１２の外側板１１ａ，１２ａには、回転機構４０の回転軸を軸受けして支持するか回転機構４０を支持するための支持部（不図示）が設けられている。また、支持板１０は、トイレの壁面等に取り付けられる。
【００３３】
上面板２０は、トイレットペーパーロール（不図示）の上面を覆い、上下回転自在に支持する支持軸と支持板１０で枢着されている。上面板２０は、トイレットペーパーロール（不図示）の外周面と対応して側面から見て滑らかな曲面を有する円弧状を呈している。上面板２０の上面２０ａと下面２０ｂとの境界先端面は鋭角又は櫛歯形状の紙切り刃２０ｃとなっており、トイレットペーパーロールは紙切り刃２０ｃによって幅方向に切断される。上面板２０の上面２０ａには、最上面板３０と当接して連動する当接部２２が設けられ、上面板２０の下面２０ｂには、トイレットペーパーロール（不図示）と連動して回転可能な細長棒状の回転部２１が設けられている。回転部２１は、上面板２０に固設された上弾性部２３のスプリングバネに保持されており、上弾性部２３は回転部２１を上下に揺動可能としている。
【００３４】
最上面板３０は、サイドホルダー１１，１２の上面を覆い、上下回転自在に支持する支持軸と支持板１０で枢着されている。上面板２０を上方に回転すると当接部２２と当接して最上面板３０も連動して上方に回転させられ、この状態で上面板２０を下方に回転すると当接部２２と当接して最上面板３０も連動して下方に回転させられる。
【００３５】
図２は、回転機構４０の例を示す図であり、（ａ）は正面斜視図、（ｂ）は断面模式図である。回転機構４０は、断面コの字形状の筐体４１と蓋４２とで接合され、筐体４１の回転周面は閉周部４１ａと開周部４１ｂとで形成されていることから、接合状態において開周部４１ｂから回転機構４０の内部を覗くことができる。
【００３６】
回転機構４０の最下周面には下弾性部４３としてのスプリングバネが設けられてサイドホルダー１１，１２の下側板１１ｃ，１２ｃで支持されており、下弾性部４３によって回転機構４０を上下に揺動可能としている。
【００３７】
回転機構４０は、トイレットペーパーロールを正逆自在に回転させる回転軸４４が筐体４１の軸受４５に装着され、回転軸４４の他端は蓋４２から突出して保持部５０が取り付けられている。
【００３８】
筐体４１には、回転軸４４を中心として回転する歯車状のカム部４６，クラッチ部４７，巻回弾性部４８が収容されており、巻回弾性部４８の渦巻きバネの作用によって、回転方向とは逆方向の逆回転力を保持し、保持された逆回転力を放出する。保持された逆回転力を放出する際にバネの勢いによって逆回転し過ぎるのを防止するために、筐体４１の内面側に凸形状のストッパー４９Ａが、クラッチ部４７の片側面に凸形状のストッパー４９Ｂが固設されており、ストッパー４９Ａ及びストッパー４９Ｂが当接することによって回転及び逆回転を規制している。
【００３９】
カム部４６は、常に回転軸４４を介して保持部５０と連動して回転する。また、巻回弾性部４８は、クラッチ部４７の片側面に取り付けられ、クラッチ部４７の回転に応じて巻回される。一方、クラッチ部４７は、カム部４６の回転の伝達及び遮断を可能として、カム部４６の回転をそのまま巻回弾性部４８に伝達しないようにしている。
【００４０】
図３（ａ）は、クラッチ部４７の回転体４７Ａの正面斜視図であり、図３（ｂ）は、クラッチ部４７のクラッチ機構４７Ｂを示す構成図である。回転体４７Ａの外観構成は、肉厚円板の円周面４７ａの一部から反対面にかけての空隙４７ｂが形成されており、肉厚円板の一側面４７ｃには空隙４７ｂと一体となった切欠部４７ｅが形成されている。また、肉厚円板４７ｃ，４７ｄには、空隙４７ｂと一体となり回転軸４４を挿通する貫通孔４７ｅが形成されている。なお、肉厚円板の他側面４７ｄには、巻回弾性部４８が取り付けられている。
【００４１】
空隙４７ｂには、クラッチ機構４７Ｂが収容される。細長い板状のクラッチ機構４７Ｂは、長手方向一端には両側壁４７Ｂ１，４７Ｂ２の間におもり４７Ｂ３が固設され、長手方向他端には回転軸４７Ｂ４を中心に回転可能な回転車４７Ｂ５と回転軸４７Ｂ４に沿って突出したピン部４７Ｂ６とが一体となって設けられている。
【００４２】
回転体４７Ａとクラッチ機構４７Ｂとを組み込んだ状態において、ピン部４７Ｂ６は切欠部４７ｅから突出しており、おもり４７Ｂ３の自重によってピン部４７Ｂ６が切欠部４７ｅ内を上下に移動する。
【００４３】
図４は、カム部４６を示す図であり、凹凸の歯車によって構成される。カム部４６の中央には回転軸４４を挿通する貫通孔が形成されている。
【００４４】
図５及び図６は、本発明の実施の形態に係るペーパーロール保持体１の動作機構を説明するための図である。
【００４５】
図５に示す動作概要を説明する。トイレットペーパーロールＲを引き出す状態においては、トイレットペーパーロールＲに当接する回転部２１も連動して回転し（図５（ａ））、トイレットペーパーロールＲを引き千切る状態においては、上面板２０を手で下方に押圧して上弾性部２３を縮ませ（図５（ｂ））、上面板２０を押圧していた手を離反すると上弾性部２３の復元力により上面板２０は上方に移動するとともに、トイレットペーパーロールＲは逆回転し（図５（ｃ））、トイレットペーパーロールＲの先端がロール面から剥がれた状態で逆回転が停止する（図５（ｄ））。
【００４６】
図５（ｂ）示すように、トイレットペーパーロールＲを引き千切る状態では、ロール面と引き千切る先端とが離れていることが重要である。ロール面と千切る先端とが近い程、図５（ｄ）では先端がロール面に隠れやすくなり不便である。
【００４７】
図６は、トイレットペーパーロールＲと回転機構４０との動作機構を模式的に示した断面図である。図６に示す動作概要を説明する。使用開始前においてはトイレットペーパーロールＲの先端がロール面から剥がれており（図６（ａ））、これは図５（ｄ）に示す状態と同じである。回転車４７Ｂ５は閉周部４１ａと当接し、ピン部４７Ｂ６とカム部４６とが係合している。
【００４８】
トイレットペーパーロールＲを引き出すと、回転車４７Ｂ５は閉周部４１ａを摺動しながら回転するとともに、ピン部４７Ｂ６とカム部４６とが係合して回転体４７Ａに回転が伝達されており（図６（ｂ））、これは図５（ａ）に示す状態と同じである。回転体４７Ａの回転によって巻回弾性部４８が巻回され、巻回弾性部４８には回転方向とは逆方向の逆回転力が付勢されてゆく。
【００４９】
さらにトイレットペーパーロールＲを引き出すと、閉周部４１ａを摺動しながら回転していた回転車４７Ｂ５は開周部４１ｂに到達し、回転車４７Ｂ５が開周部４１ｂに飛び出すとともに、ピン部４７Ｂ６とカム部４６とが離間して回転体４７Ａとの回転が遮断される（図６（ｃ））。この状態でさらにトイレットペーパーロールＲを引き出しても、回転体４７Ａは回転せず、巻回弾性部４８も回転しないことから、いわゆる空回り状態となる。また、巻回弾性部４８に付勢された逆回転力は、回転車４７Ｂ５とストッパー１１ｄ，１２ｄとで放出が物理的に規制されていることから、巻回弾性部４８は逆回転力を保持した状態となる。
【００５０】
所望量のトイレットペーパーロールＲを引き出した後に、上面板２０を手で下方に押圧して引き千切る状態では、上面板２０を押圧する作用により回転部２１及びトイレットペーパーロールＲを支持する回転機構が下方に押圧される。このとき、サイドホルダー１１，１２に固設されているストッパー１１ｄ，１２ｄと回転車４７Ｂ５との相対的距離が離反して規制が解除され、巻回弾性部４８の逆回転力が放出され、ピン部４７Ｂ６とカム部４６とが係合して回転体４７Ａとの回転が伝達され、回転車４７Ｂ５は閉周部４１ａを摺動しながら回転する（図６（ｄ））。これは図５（ｃ）に示す状態と同じである。巻回弾性部４８の逆回転力が放出された後は、再び図６（ａ）に示す状態に戻る。
【００５１】
図７は、保持部５０の一例を示す図である。保持部は半球体であり、トイレットペーパーロールの巻き芯に挿着されて、巻き芯と保持部との間に遊びが無いように密着する。巻き芯と保持部とを密着するために、保持部５０の素材としては弾力性があり滑らないものが好ましく、保持部５０の球面には中心に向かう切欠部５１を多数形成することで、球面の大きさを可変可能として様々な大きさの巻き芯に対応することができる。また、保持部５０の周面には球面から突出したテーパー部５２を形成することで、巻き芯と保持部５０とを引っ掛け、より密着することができる。なお、保持部５０には回転機構４０の回転軸４４と連結可能な軸芯５３を有し、保持部５０の着脱交換を可能としてもよい。
【００５２】
図８は、本発明の実施の形態に係るペーパーロール保持体１の平面模式図である。上面板２０の上面には、最上面板３０と当接して連動する爪型の当接部２２が設けられ、上面板２０を上方に回転すると当接部２２と当接して最上面板３０も連動して上方に回転させられ、この状態で上面板２０を下方に回転すると当接部２２と当接して最上面板３０も連動して下方に回転させられる。
【００５３】
図９は、本発明の実施の形態に係るペーパーロール保持体１の正面模式図である。最上面板３０はコの字面３０ｃと長方面３０ｄとでＬ字型となっており、サイドホルダー１２は左右に開閉可能であって、ストッパー６０がサイドホルダー１２の上面に設けられ、長方面３０ｄとストッパー６０と当接によってサイドホルダー１２の開きすぎを防止している。
【００５４】
また、サイドホルダー１１も左右に開閉可能であるが、開帳止め部７０によってサイドホルダー１１を固定している。トイレットペーパーロールの取付けをする際には、保持部５０の間隔を広げればよいが、サイドホルダー１１，１２の両方を開閉すると取付けに手間がかかることから、サイドホルダー１１，１２の一方を開閉できればよい。
【００５５】
トイレットペーパーロールの取付け手順は、上面板２０を上げると当接部２２により最上面板３０を掴み、上面板２０と最上面板３０とが連動して上にあがる。サイドホルダー１２を右方向に開き、所定位置でストッパー６０に引っ掛かる。トイレットペーパーロールの巻き芯をサイドホルダー１１側の保持部５０に入れ、保持部５０に密着させる。サイドホルダー１２を元の位置に戻し、トイレットペーパーロールの巻き芯をサイドホルダー１２側の保持部５０に入れ、保持部５０に密着させる。上面板２０と最上面板３０を下に下げる。
【００５６】
図１０は、上面板の他の例を示す図であり、上面板は、ペーパーロールを切断する紙切り刃８０ａを有する第１板８０ｂと、第１板８０ｂの下方に設けられ、紙切り刃８０ａの出し入れを可能な貫通孔８１ｃが形成された第２板８１ｂと、で構成される。貫通孔８１ｃは、第２板８１ｂ及び第２板８１ｂから立設して形成された側壁８１ａの下端に形成されている。なお、上面板以外は前述した構成・機構と同様である。
【００５７】
（ａ）は、使用者がトイレットペーパーロール保持体を操作しない通常時における正面図（図の左）及び側面図（図の右）を示しており、貫通孔８１ｃの内部に紙切り刃８０ａが収容されている。（ｂ）は、使用者がトイレットペーパーロール保持体を操作してトイレットペーパーロールを引き千切る使用時における正面図（図の左）及び側面図（図の右）を示しており、貫通孔８１ｃの外部に紙切り刃８０ａが突出している。
【００５８】
第１板８０ｂと第２板８１ｂは、固設された第２板８１ｂの上方に上下昇降可能な第１板８０ｂを設置することにより、相対的位置関係を変化させることができる。第１板８０ｂと第２板８１ｂとの設置は、バネ等の弾性部材や押圧・離反作用を発揮する部材などを使用し、図１０では、第１板８０ｂと第２板８１ｂとの当接位置を支点としている。
【産業上の利用可能性】
【００５９】
本発明に係るペーパーロール保持体は、ペーパー先端部の送り出しを実現するものとして産業上有用である。
【符号の説明】
【００６０】
１  ペーパーロール保持体
１０  支持板
１１，１２  サイドホルダー
２０  上面板
３０  最上面板
４０  回転機構
４１  筐体
４２  蓋
４３  下弾性部
４４  回転軸
４５  軸受
４６  カム部
４７  クラッチ部
４８  巻回弾性部
５０  保持部
５１  切欠部
５２  テーパー部
５３  軸芯
６０  ストッパー
７０  開帳止め部
８０ａ  紙切り刃
８０ｂ  第１板
８１ａ  側壁
８１ｂ  第２板
８１ｃ  貫通孔
【図１】
2018057820.tif 000003
【図２】
2018057820.tif 000004
【図３】
2018057820.tif 000005
【図４】
2018057820.tif 000006
【図５】
2018057820.tif 000007
【図６】
2018057820.tif 000008
【図７】
2018057820.tif 000009
【図８】
2018057820.tif 000010
【図９】
2018057820.tif 000011
【図１０】
2018057820.tif 000012
【図１１】
2018057820.tif 000013
【図１２】
2018057820.tif 000014